【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
デバイスであって、
タッチセンサ回路と、
前記デバイスに充電又は電力を供給するための無線電界の存在を検出するように構成されている検出器と、
前記検出された無線電界の存在の少なくとも一部分に基づき、前記タッチセンサ回路の少なくとも１つの特性を調整するように構成されているコントローラと、
を具備することを特徴とするデバイス。
【請求項２】
前記タッチセンサ回路は、前記検出された無線電界の存在に基づき、接触を感知するように構成されていることを特徴とする請求項1に記載のデバイス。
【請求項３】
前記コントローラは、前記タッチセンサ回路の少なくとも１つの特性を増大させるように構成されていることを特徴とする請求項1に記載のデバイス。
【請求項４】
前記タッチセンサ回路の少なくとも１つの特性は、信号対雑音比を含むことを特徴とする請求項1に記載のデバイス。
【請求項５】
前記タッチセンサ回路の少なくとも１つの特性は、前記タッチセンサ回路の感度しきい値を含むことを特徴とする請求項1に記載のデバイス。
【請求項６】
前記タッチセンサ回路の少なくとも１つの特性は、前記タッチセンサ回路の駆動周波数を含むことを特徴とする請求項1に記載のデバイス。
【請求項７】
前記コントローラは、前記無線電界の周波数を含んでいる情報を受信するようにさらに構成されており、
前記コントローラは、前記無線電界の前記周波数に基づき、前記タッチセンサ回路の駆動周波数を調整するように構成されていることを特徴とする請求項６に記載のデバイス。
【請求項８】
前記タッチセンサ回路の少なくとも１つの特性は、後処理方法を含むことを特徴とする請求項1に記載のデバイス。
【請求項９】
前記タッチセンサ回路は、複数の感知要素を含んでおり、
前記検出器は、前記複数の感知要素の少なくとも１つの変化に基づき、前記無線電界の存在を検出するように構成されていることを特徴とする請求項1に記載のデバイス。
【請求項１０】
感知回路と、ルックアップテーブルをさらに具備し、
前記ルックアップテーブルは、前記感知回路に結合された1つまたは複数の格納デバイスに格納されており、
前記少なくとも1つの特性は、少なくとも1つのアドレス指定特性と、少なくとも1つの感知特性を具備し、
前記ルックアップテーブルは、前記少なくとも1つのアドレス指定特性と、前記少なくとも1つの感知特性を含んでいることを特徴とする請求項1に記載のデバイス。
【請求項１１】
前記タッチセンサ回路は、感知回路、タッチセンサ、及びタッチセンシングコントローラの内の１つ又は複数を含んでいることを特徴とする請求項1に記載のデバイス。
【請求項１２】
タッチセンサ回路を動作させる方法であって、
前記タッチセンサ回路を含むデバイスに充電又は電力を供給するための無線電界の存在を検出するステップと、
前記検出に基づき、前記タッチセンサ回路の少なくとも１つの感知特性を調整するステップと、
を具備することを特徴とするタッチセンサ回路を動作させる方法。
【請求項１３】
前記調整するステップは、駆動波形の駆動強度を増大させるステップと具備することを特徴とする請求項1２に記載の方法。
【請求項１４】
前記調整するステップは、検出しきい値増大させるステップと具備することを特徴とする請求項1２に記載の方法。
【請求項１５】
前記調整するステップは、前記タッチセンサ回路の駆動周波数を調整するステップを含むことを特徴とする請求項1２に記載の方法。
【請求項１６】
前記無線電界の周波数を判断するステップと、
前記無線電界の周波数に基づき、前記タッチセンサ回路の前記駆動周波数を調整するステップと、
をさらに具備することを特徴とする請求項1５に記載の方法。
【請求項１７】
前記少なくとも１つの感知特性は、後処理方法を含むことを特徴とする請求項1２に記載の方法。
【請求項１８】
前記タッチセンサ回路は、複数の感知要素を含み、
前記無線電界の存在を検出するステップは、前記複数の感知要素の少なくとも１つの変化に基づき検出するステップを含むことを特徴とする請求項1２に記載の方法。
【請求項１９】
前記調整するステップは、ルックアップテーブルに格納されている情報に基づき、前記無線電界に関する情報を、感知特性と相関させるステップを含むことを特徴とする請求項1２に記載の方法。
【請求項２０】
前記タッチセンサ回路は、感知回路、タッチセンサ、及びタッチセンシングコントローラの内の１つ又は複数を含むことを特徴とする請求項1２に記載の方法。
【請求項２１】
タッチセンサ回路を動作させるためのデバイスであって、
前記デバイスに充電又は電力を供給するための無線電界の存在を検出するための検出手段と、
前記検出に基づき、前記タッチセンサ回路の少なくとも１つの感知特性を調整するための調整手段と、
を具備することを特徴とするタッチセンサ回路を動作させるためのデバイス。
【請求項２２】
前記検出手段は、検出回路を具備し、
前記調整手段は、コントローラを具備する
ことを特徴とする請求項２１に記載のデバイス。
【請求項２３】
前記調整手段は、駆動波形の駆動強度を増大させるための手段を含むことを特徴とする請求項２１に記載のデバイス。
【請求項２４】
前記調整手段は、検出しきい値を増大させるための手段を含むことを特徴とする請求項２１に記載のデバイス。
【請求項２５】
前記調整手段は、前記タッチセンサ回路の駆動周波数を調整するための手段を含むことを特徴とする請求項２１に記載のデバイス。
【請求項２６】
前記無線電界の周波数を判断するための手段と、
前記無線電界の前記周波数に基づき、前記タッチセンサ回路の前記駆動周波数を調整するための手段と、
をさらに具備することを特徴とする請求項２５に記載のデバイス。
【請求項２７】
前記少なくとも１つの感知特性は、後処理方法を含むことを特徴とする請求項２１に記載のデバイス。
【請求項２８】
前記タッチセンサ回路は、複数の感知要素を含み、
前記無線電界の存在を検出するための前記検出手段は、前記感知要素の少なくとも１つの変化に基づき検出するための手段を含むことを特徴とする請求項２１に記載のデバイス。
【請求項２９】
前記調整手段は、ルックアップテーブルに格納されている情報に基づき、前記無線電界に関する情報を、感知特性と相関させるための手段を含むことを特徴とする請求項２１に記載のデバイス。
【請求項３０】
前記タッチセンサ回路は、感知回路、タッチセンサ、及びタッチセンシングコントローラの内の１つ又は複数を含むことを特徴とする請求項２１に記載のデバイス。
【請求項３１】
タッチセンサ回路を動作させるように構成されたプログラムに関するデータを処理するためのコンピュータプログラムであって、
処理回路に、
デバイスに充電又は電力を供給するための無線電界の存在を検出させ、
前記検出された無線電界の存在に基づいて、前記タッチセンサ回路の少なくとも１つの感知特性を調整させるためのコードを含むコンピュータプログラム。
【請求項３２】
前記処理回路に、
前記無線電界の周波数を判断させ、
前記判断された無線電界の周波数に基づき、前記タッチセンサ回路の駆動周波数を調整させるためのコードをさらに備えた請求項３１に記載のコンピュータプログラム。
【請求項３３】
前記タッチセンサ回路は、感知回路、タッチセンサ、及びタッチセンシングコントローラの内の１つ又は複数を含むことを特徴とする請求項３１に記載のコンピュータプログラム。